(57)【要約】【課題】  ロングＤＲＸ周期を導入した場合であっても、適切なタイミングで受信機能（無線機能）を起動することを可能とする移動通信システム及び無線端末を提供する。【解決手段】  移動通信方法は、ＵＥ１０が、ＵＥ１０に設けられるタイマを用いて、監視期間及び無監視期間を設定するステップＡと、ＵＥ１０が、ＤＲＸ周期として所定周期よりも長いロングＤＲＸ周期が設定される場合に、タイマの誤差を補正するために、下り方向信号を受信する補正受信期間を設定するステップＢとを備える。【選択図】  図９
2015122672.tif 000002
【特許請求の範囲】
【請求項１】
無線端末と無線基地局との間において、下り方向信号を監視する監視期間及び前記下り方向信号を監視しない無監視期間を有するＤＲＸ周期を設定する移動通信方法であって、
前記無線端末が、前記無線端末に設けられるタイマを用いて、前記監視期間及び前記無監視期間を設定するステップＡと、
前記無線端末が、前記ＤＲＸ周期として所定周期よりも長いロングＤＲＸ周期が設定される場合に、前記タイマの誤差を補正するために、前記下り方向信号を受信する補正受信期間を設定するステップＢとを備えることを特徴とする移動通信方法。    
【請求項２】
前記無線端末が、前記補正受信期間で受信する前記下り方向信号のサブフレーム番号又はシステムフレーム番号に基づいて、前記タイマの誤差を補正するステップＣを備えることを特徴とする請求項１に記載の移動通信方法。
【請求項３】
前記ステップＢは、所定の監視期間から前記タイマの最大誤差の時間よりも前の期間に前記補正受信期間を設定するステップを含むことを特徴とする請求項１に記載の移動通信方法。
【請求項４】
前記ステップＢは、前記補正受信期間を所定補正周期で設定するステップを含むことを特徴とする請求項１に記載の移動通信方法。
【請求項５】
前記ステップＢは、前記サブフレーム番号が一巡するサブフレーム周期又は前記システムフレーム番号が一巡するシステムフレーム周期よりも前記ロングＤＲＸ周期が長い場合に、前記補正受信期間を所定補正周期で設定するステップを含み、
前記所定補正周期は、前記サブフレーム周期又は前記システムフレーム周期よりも短いことを特徴とする請求項２に記載の移動通信方法。
【請求項６】
前記ステップＢは、前記タイマの誤差が小さいほど、前記所定補正周期として長い周期を設定するステップを含むことを特徴とする請求項４又は請求項５に記載の移動通信方法。
【請求項７】
前記補正受信期間は、前記下り方向信号を監視する監視期間のうち、所定の監視期間と当該所定の監視期間より一つ前の監視期間との間に設定される請求項１から６のいずれか一項に記載の移動通信方法。
【請求項８】
下り方向信号を監視する監視期間及び前記下り方向信号を監視しない無監視期間を有するＤＲＸ周期を設定する移動通信システムで用いる無線端末であって、
前記無線端末に設けられるタイマを用いて、前記監視期間及び前記無監視期間を設定する制御部とを備え、
前記制御部は、前記ＤＲＸ周期として所定周期よりも長いロングＤＲＸ周期が設定される場合に、前記タイマの誤差を補正するために、前記下り方向信号を受信する補正受信期間を設定することを特徴とする無線端末。
【発明の詳細な説明】
【技術分野】
【０００１】
本発明は、下り方向信号を監視する監視期間及び前記下り方向信号を監視しない無監視期間を有するＤＲＸ周期を設定する移動通信システムで用いる移動通信方法及び無線端末に関する。
【背景技術】
【０００２】
従来、無線基地局から送信される下り方向信号を無線端末が監視する期間（以下、監視期間）及び無線基地局から送信される下り方向信号を無線端末が監視しない期間（以下、無監視期間）を設定するＤＲＸ（Ｄｉｓｃｏｎｔｉｎｕｏｕｓ  Ｒｅｃｅｐｔｉｏｎ）を採用する移動通信システムが知られている（例えば、非特許文献１）。例えば、このような移動通信システムとして、ＬＴＥ（Ｌｏｎｇ  Ｔｅｒｍ  Ｅｖｏｌｕｔｉｏｎ）が知られている。
【０００３】
監視期間及び無監視期間によって構成されるＤＲＸの周期（以下、ＤＲＸ周期）としては、０．３２秒、０．６４秒、１．２８秒、２．５６秒等の周期が規定されている。
【先行技術文献】
【特許文献】
【０００４】
【非特許文献１】ＴＳ３６．３２１  Ｖ１０．０．０
【発明の概要】
【発明が解決しようとする課題】
【０００５】
しかしながら、近年では、電気メータ、ガスメータ又は自動販売機などのように、人が使用することを前提としていない装置に、無線端末又は無線モジュールを搭載するケースが想定される。このようなケースでは、無線端末と無線基地局との間において通信が行われる機会が非常に少ないことが考えられる。従って、通信機会が少ない無線端末の消費電力を抑制するために、従来のＤＲＸ周期と比べて長いＤＲＸ周期（以下、ロングＤＲＸ周期）を定義することが好ましい。
【０００６】
ところで、無線端末は、無線端末の内部に設けられるタイマを用いてＤＲＸ周期をカウントする。上述したロングＤＲＸ周期を導入すると、タイマの誤差に起因して、適切なタイミングで監視期間を設定することができず、監視期間で受信すべき下り方向信号（例えば、ページング信号やパイロット信号）を受信することができない可能性がある。
【０００７】
そこで、本発明は、上述した課題を解決するためになされたものであり、ロングＤＲＸ周期を導入した場合であっても、適切なタイミングで受信機能（無線機能）を起動することを可能とする移動通信方法及び無線端末を提供することを目的とする。
【課題を解決するための手段】
【０００８】
第１の特徴は、無線端末と無線基地局との間において、下り方向信号を監視する監視期間及び前記下り方向信号を監視しない無監視期間を有するＤＲＸ周期を設定する移動通信方法であって、前記無線端末が、前記無線端末に設けられるタイマを用いて、前記監視期間及び前記無監視期間を設定するステップＡと、前記無線端末が、前記ＤＲＸ周期として所定周期よりも長いロングＤＲＸ周期が設定される場合に、前記タイマの誤差を補正するために、下り方向信号を受信する補正受信期間を設定するステップＢとを備えることを要旨とする。
【０００９】
第１の特徴において、移動通信方法は、前記無線端末が、前記補正受信期間で受信する前記下り方向信号のサブフレーム番号又はシステムフレーム番号に基づいて、前記タイマの誤差を補正するステップＣを備える。
【００１０】
第１の特徴において、前記ステップＢは、前記タイマの最大誤差の時間よりも前の期間に前記補正受信期間を設定するステップを含む。
【００１１】
第１の特徴において、前記ステップＢは、前記補正受信期間を所定補正周期で設定するステップを含む。
【００１２】
第１の特徴において、前記ステップＢは、前記サブフレーム番号が一巡するサブフレーム周期又は前記システムフレーム番号が一巡するシステムフレーム周期よりも前記ロングＤＲＸ周期が長い場合に、前記補正受信期間を所定補正周期で設定するステップを含み、前記所定補正周期は、前記サブフレーム周期又は前記システムフレーム周期よりも短い。
【００１３】
第１の特徴において、前記ステップＢは、前記タイマの誤差が小さいほど、前記所定補正周期として長い周期を設定するステップを含む。
【００１４】
第１の特徴において、前記補正受信期間は、前記下り方向信号を監視する監視期間のうち、所定の監視期間と当該所定の監視期間より一つ前の監視期間との間に設定される。
【００１５】
第２の特徴は、下り方向信号を監視する監視期間及び前記下り方向信号を監視しない無監視期間を有するＤＲＸ周期を設定する移動通信システムで用いる無線端末であって、前記無線端末に設けられるタイマを用いて、前記監視期間及び前記無監視期間を設定する制御部とを備え、前記制御部は、前記ＤＲＸ周期として所定周期よりも長いロングＤＲＸ周期が設定される場合に、前記タイマの誤差を補正するために、下り方向信号を受信する補正受信期間を設定することを要旨とする。
【発明の効果】
【００１６】
本発明によれば、ロングＤＲＸ周期を導入した場合であっても、適切なタイミングで受信機能（無線機能）を起動することを可能とする移動通信システム及び無線端末を提供することができる。
【図面の簡単な説明】
【００１７】
【図１】図１は、第１実施形態に係る移動通信システム１００を示す図である。
【図２】図２は、第１実施形態に係る無線フレームを示す図である。
【図３】図３は、第１実施形態に係る無線リソースを示す図である。
【図４】図４は、第１実施形態に係るＤＲＸを示す図である。
【図５】図５は、第１実施形態に係るＵＥ１０を示すブロック図である。
【図６】図６は、第１実施形態に係るｅＮＢ１１０を示すブロック図である。
【図７】図７は、第１実施形態に係るタイマの誤差の補正を説明するための図である。
【図８】図８は、第１実施形態に係るタイマの誤差の補正を説明するための図である。
【図９】図９は、第１実施形態に係る移動通信方法を示すフロー図である。
【発明を実施するための形態】
【００１８】
以下において、本発明の実施形態に係る移動通信システムについて、図面を参照しながら説明する。なお、以下の図面の記載において、同一又は類似の部分には、同一又は類似の符号を付している。
【００１９】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２０】
［実施形態の概要］
実施形態に係る移動通信方法は、無線端末と無線基地局との間において、下り方向信号を監視する監視期間及び前記下り方向信号を監視しない無監視期間を有するＤＲＸ周期を設定する。移動通信方法は、前記無線端末が、前記無線端末に設けられるタイマを用いて、前記監視期間及び前記無監視期間を設定するステップＡと、前記無線端末が、前記ＤＲＸ周期として所定周期よりも長いロングＤＲＸ周期が設定される場合に、前記タイマの誤差を補正するために、下り方向信号を受信する補正受信期間を設定するステップＢとを備える。
【００２１】
実施形態では、無線端末は、ロングＤＲＸ周期が設定される場合に、補正受信期間を設定することによって、タイマの誤差を適切に補正することができる。従って、ロングＤＲＸ周期を導入した場合であっても、適切なタイミングで受信機能（無線機能）を起動することができる。
【００２２】
［第１実施形態］
（移動通信システム）
以下において、第１実施形態に係る移動通信システムについて説明する。図１は、第１実施形態に係る移動通信システム１００を示す図である。
【００２３】
図１に示すように、移動通信システム１００は、無線端末１０（以下、ＵＥ１０）と、コアネットワーク５０とを含む。また、移動通信システム１００は、第１通信システムと第２通信システムとを含む。なお、移動通信システム１００は、第１通信システムと第２通信システムとを含むものに限られず、例えば、第１通信システムのみを含むものでもよいし、第２通信システムのみを含むものでもよい。
【００２４】
第１通信システムは、例えば、ＬＴＥ（Ｌｏｎｇ  Ｔｅｒｍ  Ｅｖｏｌｕｔｉｏｎ）に対応する通信システムである。第１通信システムは、例えば、無線基地局１１０（以下、ｅＮＢ１１０）と、ＭＭＥ１２０とを有する。なお、第１通信システムでは、第１ＲＡＴ（ＥＵＴＲＡＮ；Ｅｖｏｌｖｅｄ  Ｕｎｉｖｅｒｓａｌ  Ｔｅｒｒｅｓｔｒｉａｌ  Ａｃｃｅｓｓ  Ｎｅｔｗｏｒｋ）が用いられる。
【００２５】
第２通信システムは、例えば、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）に対応する通信システムである。第２通信システムは、無線基地局２１０（以下、ＮＢ２１０）と、ＲＮＣ２２０と、ＳＧＳＮ２３０とを有する。なお、第２通信システムでは、第２ＲＡＴ（ＵＴＲＡＮ；Ｕｎｉｖｅｒｓａｌ  Ｔｅｒｒｅｓｔｒｉａｌ  Ａｃｃｅｓｓ  Ｎｅｔｗｏｒｋ）が用いられる。
【００２６】
ＵＥ１０は、第１通信システム及び第２通信システムと通信を行うように構成された装置（Ｕｓｅｒ  Ｅｑｕｉｐｍｅｎｔ）である。例えば、ＵＥ１０は、ｅＮＢ１１０と無線通信を行う機能を有するとともに、ＮＢ２１０と無線通信を行う機能を有する。なお、ＵＥ１０は、装置に限られず、通信モジュールであってもよい。
【００２７】
ｅＮＢ１１０は、セル１１１を有しており、セル１１１に存在するＵＥ１０と無線通信を行う装置（ｅｖｏｌｖｅｄ  ＮｏｄｅＢ）である。
【００２８】
ＭＭＥ１２０は、ｅＮＢ１１０と無線接続を設定しているＵＥ１０の移動性を管理する装置（Ｍｏｂｉｌｉｔｙ  Ｍａｎａｇｅｍｅｎｔ  Ｅｎｔｉｔｙ）である。ＭＭＥ１２０は、コアネットワーク５０に設けられる。
【００２９】
無線基地局２１０は、セル２１１を有しており、セル２１１に存在するＵＥ１０と無線通信を行う装置（ＮｏｄｅＢ）である。
【００３０】
ＲＮＣ２２０は、無線基地局２１０に接続されており、セル２１１に存在するＵＥ１０と無線接続（ＲＲＣ  Ｃｏｎｎｅｃｔｉｏｎ）を設定する装置（Ｒａｄｉｏ  Ｎｅｔｗｏｒｋ  Ｃｏｎｔｒｏｌｌｅｒ）である。
【００３１】
ＳＧＳＮ２３０は、パケット交換ドメインにおいてパケット交換を行う装置（Ｓｅｒｖｉｎｇ  ＧＰＲＳ  Ｓｕｐｐｏｒｔ  Ｎｏｄｅ）である。ＳＧＳＮ２３０は、コアネットワーク５０に設けられる。図１では省略しているが、回線交換ドメインにおいて回線交換を行う装置（ＭＳＣ；Ｍｏｂｉｌｅ  Ｓｗｉｔｃｈｉｎｇ  Ｃｅｎｔｅｒ）がコアネットワーク５０に設けられていてもよい。
【００３２】
なお、以下においては、第１通信システムについて主として説明する。但し、以下の記載が第２通信システムに適用されてもよい。また、セルは、ＵＥ１０と無線通信を行う機能として理解すべきである。但し、セルは、セルと通信可能な範囲を示すサービスエリアと考えてもよい。
【００３３】
ここで、第１通信システムでは、下り方向の多重方式として、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式が用いられており、上り方向の多重方式として、ＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式が用いられる。
【００３４】
また、第１通信システムでは、上り方向のチャネルとして、上り方向制御チャネル（ＰＵＣＣＨ；Ｐｈｙｓｉｃａｌ  Ｕｐｌｉｎｋ  Ｃｏｎｔｒｏｌ  Ｃｈａｎｎｅｌ）及び上り方向共有チャネル（ＰＵＳＣＨ；Ｐｈｙｓｉｃａｌ  Ｕｐｌｉｎｋ  Ｓｈａｒｅｄ  Ｃｈａｎｎｅｌ）などが存在する。また、下り方向のチャネルとして、下り方向制御チャネル（ＰＤＣＣＨ；Ｐｈｙｓｉｃａｌ  Ｄｏｗｎｌｉｎｋ  Ｃｏｎｔｒｏｌ  Ｃｈａｎｎｅｌ）、下り方向共有チャネル（ＰＤＳＣＨ；Ｐｈｙｓｉｃａｌ  Ｄｏｗｎｌｉｎｋ  Ｓｈａｒｅｄ  Ｃｈａｎｎｅｌ）、報知チャネル（ＰＢＣＨ：Ｐｈｙｓｉｃａｌ  Ｂｒｏａｄｃａｓｔ  Ｃｈａｎｎｅｌ）などが存在する。
【００３５】
上り方向制御チャネルは、制御信号を搬送するチャネルである。制御信号は、例えば、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）、ＳＲ（Ｓｃｈｅｄｕｌｉｎｇ  Ｒｅｑｕｅｓｔ）、ＡＣＫ／ＮＡＣＫなどである。
【００３６】
ＣＱＩは、下り方向の伝送に使用すべき推奨変調方式と符号化速度を通知する信号である。ＰＭＩは、下り方向の伝送の為に使用することが望ましいプリコーダマトリックスを示す信号である。ＲＩは、下り方向の伝送に使用すべきレイヤ数（ストリーム数）を示す信号である。ＳＲは、上り方向無線リソース（後述するリソースブロック）の割当てを要求する信号である。ＡＣＫ／ＮＡＣＫは、下り方向のチャネル（例えば、ＰＤＳＣＨ）を介して送信される信号を受信できたか否かを示す信号である。
【００３７】
上り方向共有チャネルは、制御信号（上述した制御信号を含む）又は／及びデータ信号を搬送するチャネルである。例えば、上り方向無線リソースは、データ信号にのみ割当てられてもよく、データ信号及び制御信号が多重されるように割当てられてもよい。
【００３８】
下り方向制御チャネルは、制御信号を搬送するチャネルである。制御信号は、例えば、Ｕｐｌｉｎｋ  ＳＩ（Ｓｃｈｅｄｕｌｉｎｇ  Ｉｎｆｏｒｍａｔｉｏｎ）、Ｄｏｗｎｌｉｎｋ  ＳＩ（Ｓｃｈｅｄｕｌｉｎｇ  Ｉｎｆｏｒｍａｔｉｏｎ）、ＴＰＣビットである。
【００３９】
Ｕｐｌｉｎｋ  ＳＩは、上り方向無線リソースの割当てを示す信号である。Ｄｏｗｎｌｉｎｋ  ＳＩは、下り方向無線リソースの割当てを示す信号である。ＴＰＣビットは、上り方向のチャネルを介して送信される信号の電力の増減を指示する信号である。
【００４０】
下り方向共有チャネルは、制御信号又は／及びデータ信号を搬送するチャネルである。例えば、下り方向無線リソースは、データ信号にのみ割当てられてもよく、データ信号及び制御信号が多重されるように割当てられてもよい。下り方向チャネルは、例えば、ＳＩＢ（Ｓｙｓｔｅｍ  Ｉｎｆｏｒｍａｔｉｏｎ  Ｂｌｏｃｋ）を搬送する。下り方向共有チャネルを介して送信される情報（例えば、ＳＩＢ）は、サブフレーム番号を含む。サブフレーム番号は、単位時間毎に変化する番号であり、所定周期で一巡する番号である。
【００４１】
なお、下り方向共有チャネルを介して送信される制御信号としては、ＴＡ（Ｔｉｍｉｎｇ  Ａｄｖａｎｃｅ）が挙げられる。ＴＡは、ＵＥ１０とｅＮＢ１１０との間の送信タイミング補正情報であり、ＵＥ１０から送信される上り方向信号に基づいてｅＮＢ１１０によって測定される。
【００４２】
また、下り方向制御チャネル（ＰＤＣＣＨ）及び下り方向共有チャネル（ＰＤＳＣＨ）以外のチャネルを介して送信される制御信号としては、ＡＣＫ／ＮＡＣＫが挙げられる。ＡＣＫ／ＮＡＣＫは、上り方向のチャネル（例えば、ＰＵＳＣＨ）を介して送信される信号を受信できたか否かを示す信号である。
【００４３】
報知チャネルは、ＭＩＢ（Ｍａｓｔｅｒ  Ｉｎｆｒｏｍａｔｉｏｎ  Ｂｌｏｃｋ）を搬送する。ＭＩＢは、システムフレーム番号（ＳＦＮ）を含む。システムフレーム番号は、単位時間毎に変化する番号であり、所定周期で一巡する番号である。
【００４４】
（無線フレーム）
以下において、第１通信システムにおける無線フレームについて説明する。図２は、第１通信システムにおける無線フレームを示す図である。
【００４５】
図２に示すように、１つの無線フレームは、１０のサブフレームによって構成されており、１つのサブフレームは、２つのスロットによって構成される。１つのスロットの時間長は、０．５ｍｓｅｃであり、１つのサブフレームの時間長は、１ｍｓｅｃであり、１つの無線フレームの時間長は、１０ｍｓｅｃである。
【００４６】
なお、１つのスロットは、下り方向において、複数のＯＦＤＭシンボル（例えば、６つのＯＦＤＭシンボル或いは７つのＯＦＤＭシンボル）によって構成される。同様に、１つのスロットは、上り方向において、複数のＳＣ−ＦＤＭＡシンボル（例えば、６つのＳＣ−ＦＤＭＡシンボル或いは７つのＳＣ−ＦＤＭＡシンボル）によって構成される。
【００４７】
（無線リソース）
以下において、第１通信システムにおける無線リソースについて説明する。図３は、第１通信システムにおける無線リソースを示す図である。
【００４８】
図３に示すように、無線リソースは、周波数軸及び時間軸によって定義される。周波数は、複数のサブキャリアによって構成されており、所定数のサブキャリア（１２のサブキャリア）を纏めてリソースブロック（ＲＢ：Ｒｅｓｏｕｒｃｅ  Ｂｌｏｃｋ）と称する。時間は、上述したように、ＯＦＤＭシンボル（又は、ＳＣ−ＦＤＭＡシンボル）、スロット、サブフレーム、無線フレームなどの単位を有する。
【００４９】
ここで、無線リソースは、１リソースブロック毎に割当て可能である。また、周波数軸及び時間軸上において、複数のユーザ（例えば、ユーザ＃１〜ユーザ＃５）に対して分割して無線リソースを割当てることが可能である。
【００５０】
また、無線リソースは、ｅＮＢ１１０によって割当てられる。ｅＮＢ１１０は、ＣＱＩ、ＰＭＩ、ＲＩなどに基づいて、各ＵＥ１０に割当てられる。
【００５１】
（間欠受信）
以下において、間欠受信（ＤＲＸ；Ｄｉｓｃｏｎｔｉｎｕｏｕｓ  Ｒｅｃｅｐｔｉｏｎ）について説明する。図４は、間欠受信について説明するための図である。ＵＥ１０は、待ち受け状態（Ｉｄｌｅ状態）において、消費電力を抑制するために、間欠受信を設定することが可能である。ここでは、無線基地局として、ｅＮＢ１１０を例示するが、実施形態は、これに限定されるものではない。無線基地局は、無線基地局２１０であってもよい。
【００５２】
図４に示すように、ＤＲＸ周期は、ＵＥ１０が下り方向信号を監視する監視期間及び下り方向信号をＵＥ１０が監視しない無監視期間を有する。ＵＥ１０は、監視期間において下り方向信号を監視する。
【００５３】
（無線端末）
以下において、第１実施形態に係る無線端末について説明する。図５は、第１実施形態に係るＵＥ１０を示すブロック図である。図５に示すように、ＵＥ１０は、通信部１１と、制御部１２と、記憶部１３とを有する。
【００５４】
通信部１１は、ｅＮＢ１１０（或いは、無線基地局２１０）から下り方向信号を受信する。或いは、通信部１１は、ｅＮＢ１１０（或いは、無線基地局２１０）に上り方向信号を送信する。なお、通信部１１は、例えば、アンテナ（ＭＩＭＯが用いられる場合には、複数のアンテナ）、復調部、変調部などを有する通信モジュールの一例である。
【００５５】
第１実施形態において、通信部１１は、ｅＮＢ１１０（或いは、無線基地局２１０）に対して、上り方向信号を送信する。通信部１１は、ｅＮＢ１１０（或いは、無線基地局２１０）から、下り方向信号を受信する。
【００５６】
制御部１２は、ＵＥ１０を制御する。例えば、制御部１２は、間欠受信（ＤＲＸ）が設定された場合において、記憶部１３に記憶されたＤＲＸ周期に基づいて、ＵＥ１０に設けられるタイマを用いて、監視期間及び無監視期間を設定する。詳細には、制御部１２は、下り方向信号を監視する監視期間において通信部１１をオンにして（起動して）、ｅＮＢ１１０から送信される下り方向信号（例えば、ＰＤＣＣＨ）を通信部１１によって受信することで、ｅＮＢ１１０から送信される下り方向信号（例えば、ＰＤＣＣＨ）を監視する。制御部１２は、下り方向信号を監視しない無監視期間において通信部１１をオフ（スリープ）にして、ｅＮＢ１１０から送信される下り方向信号（例えば、ＰＤＣＣＨ）を通信部１１によって受信しないことで、ｅＮＢ１１０から送信される下り方向信号（例えば、ＰＤＣＣＨ）を監視しない。
【００５７】
第１実施形態において、制御部１２は、ＤＲＸ周期として、所定周期（例えば、従来のＤＲＸ周期：０．３２秒、０．６４秒、１．２８秒、２．５６秒等）よりも長いロングＤＲＸ周期を設定する。制御部１２は、タイマの誤差を補正するために、下り方向信号を受信する補正受信期間を設定する。
【００５８】
制御部１２は、ｎ番目の監視期間とｎ＋１番目の監視期間との間で生じるタイマの最大誤差の時間に基づいて補正受信期間を設定することが好ましい。具体的には、制御部１２は、ｎ＋１番目の監視期間に対して最大誤差の時間よりも前の期間に補正受信期間を設定する。
【００５９】
或いは、制御部１２は、補正受信期間を所定補正周期で設定してもよい。このようなケースにおいて、制御部１２は、タイマの誤差が小さいほど、所定補正周期として長い周期を設定することが好ましい。
【００６０】
詳細には、下り方向信号は、報知チャネル（ＰＢＣＨ）を介して受信するＭＩＢであってもよく、下り方向信号は、報知チャネルを介して受信するＭＩＢであってもよく、下り方向共有チャネル（ＰＤＳＣＨ）を介して受信するＳＩＢであってもよい。或いは、ｅＮＢ１１０から絶対時間（ＵＴＣ；Ｃｏｏｒｉｎａｔｅｄ  Ｕｎｉｖｅｒｓａｌ  Ｔｉｍｅ）が報知されている場合には、下り方向信号は、絶対時間であってもよい。
【００６１】
ここで、制御部１２は、補正受信期間でＭＩＢを受信する場合には、システムフレーム番号に基づいて、タイマの誤差を補正する。ここで、タイマの誤差とは、タイマのカウント値によって予測されるシステムフレーム番号のシステムフレームを受信する期間（タイミング）と、実際にｅＮＢ１１０から送信された当該システムフレーム番号のシステムフレームを受信可能な期間（タイミング）との差異である。詳細には、制御部１２は、タイマのカウント値によって予測されるシステムフレーム番号と補正受信期間で受信するＭＩＢのシステムフレーム番号との差異によって、タイマの誤差を補正する。このようなケースにおいては、制御部１２は、システムフレームが一巡するシステムフレーム周期よりもロングＤＲＸ周期が長い場合に、補正受信期間を所定補正周期で設定することが好ましい。所定補正周期は、システムフレーム周期よりも短い。制御部１２は、タイマの誤差が小さいほど、所定補正周期として長い周期を設定する、すなわちタイマを補正するための下り方向信号の受信回数を少なく設定することが好ましい。これによって、タイマの精度に応じた最小限の周期若しくは回数の補正受信期間を設定することができる。
【００６２】
或いは、制御部１２は、補正受信期間でＳＩＢを受信する場合には、サブフレーム番号に基づいて、タイマの誤差を補正する。詳細には、制御部１２は、タイマのカウント値によって予測されるサブフレーム番号と補正受信期間で受信するＳＩＢのサブフレーム番号との差異によって、タイマの誤差を補正する。このようなケースにおいては、制御部１２は、サブフレームが一巡するサブフレーム周期よりもロングＤＲＸ周期が長い場合に、補正受信期間を所定補正周期で設定することが好ましい。所定補正周期は、サブフレーム周期よりも短い。制御部１２は、タイマの誤差が小さいほど、所定補正周期として長い周期を設定することが好ましい。
【００６３】
或いは、制御部１２は、補正受信期間で絶対時間を受信する場合には、絶対時間に基づいて、タイマの誤差を補正する。詳細には、制御部１２は、タイマのカウント値によって予測される時間と補正受信期間で受信する絶対時間との差異によって、タイマの誤差を補正する。
【００６４】
記憶部１３は、ＵＥ１０のＤＲＸ周期を記憶する。
【００６５】
（無線基地局）
以下において、第１実施形態に係る無線基地局について説明する。ここでは、無線基地局として、ｅＮＢ１１０を例示するが、実施形態は、これに限定されるものではない。無線基地局は、無線基地局２１０であってもよい。図６は、第１実施形態に係るｅＮＢ１１０を示すブロック図である。図６に示すように、ｅＮＢ１１０は、通信部１１５と、制御部１１６とを有する。
【００６６】
通信部１１５は、ＵＥ１０から上り方向信号を受信する。或いは、通信部１１５は、ＵＥ１０に下り方向信号を送信する。なお、通信部１１５は、例えば、アンテナ、復調部、変調部などを有する。
【００６７】
制御部１１６は、ｅＮＢ１１０を制御する。例えば、制御部１１６は、ＵＥ１０が上り方向信号を送信するためのリソース、又は、ＵＥ１０が上り方向信号を受信するためのリソースを割り当てる。
【００６８】
（タイマの誤差の補正）
以下において、第１実施形態に係るタイマの誤差の補正について説明する。図７及び図８は、第１実施形態に係るタイマの誤差の補正を説明するための図である。
【００６９】
以下においては、ＵＥ１０に設けられるタイマが実際の時間に合致するケースＡ（すなわち、タイマの誤差が殆どないケース）、ＵＥ１０に設けられるタイマが実際の時間よりも早いケースＢ、ＵＥ１０に設けられるタイマが実際の時間よりも遅いケースＣを例に挙げる。
【００７０】
第１に、従来のＤＲＸ周期とロングＤＲＸ周期との差異について、図７を参照しながら説明する。図７において、Ｔ１は、従来のＤＲＸ周期又はロングＤＲＸ周期において、実際の時間軸上で監視期間を開始すべきタイミングを示している。Ｔ２は、従来のＤＲＸ周期において、実際の時間軸上で監視期間を開始すべきタイミングを示している。Ｔ３は、ロングＤＲＸ周期において、実際の時間軸上で監視期間を開始すべきタイミングを示している。
【００７１】
図７に示すように、従来のＤＲＸ周期（Ｔ１とＴ２との間隔）は、比較的に短い周期であるため、監視期間での監視を開始するために通信部１１をオンにする処理を開始する起動タイミング（すなわち、タイマのカウント値によって予測される起動タイミング）と実際の時間とのずれが少ない。従って、ケースＡ〜ケースＣのいずれのケースにおいても、Ｔ２において、監視期間で下り方向信号を受信することができる。
【００７２】
一方で、ロングＤＲＸ周期（Ｔ１とＴ３との間隔）は、従来のＤＲＸ周期と比べて長い周期であるため、起動タイミングが実際の時間とずれる可能性がある。詳細には、ケースＢにおいては、起動タイミングがＴ３よりも早くなってしまう。一方で、ケースＣにおいては、起動タイミングがＴ３よりも遅くなってしまう。
【００７３】
例えば、ケースＢにおいては、監視期間を延長することによって、監視期間において下り方向信号を受信することも可能であるが、ケースＣにおいては、監視期間において下り方向信号を受信することができない。いずれにしても、ケースＢ及びケースＣにおいては、監視期間が適切に設定されない。
【００７４】
第２に、ロングＤＲＸ周期が設定される場合において、タイマの誤差を補正する処理について、図８を参照しながら説明する。図８において、ΔＴは、タイマの誤差（最大誤差）の時間を示している。また、Ｔ１及びＴ３は、ロングＤＲＸ周期において、実際の時間軸上で監視期間での下り方向信号の監視を開始すべきタイミングを示している。Ｔ４は、実際の時間軸上で補正受信期間での下り方向信号の受信を開始すべきタイミングを示している。
【００７５】
ここで、補正受信期間は、上述したように、ｎ＋１番目の監視期間（Ｔ３）に対して最大誤差の時間（ΔＴ）よりも前の期間に設定されることに留意すべきである。これによって、タイマの誤差が最大であったとしても、希望のサブフレーム番号におけるフレーム番号又は希望のシステムフレーム番号におけるシステムフレームの受信失敗を低減することができる。なお、最大誤差の時間（ΔＴ）は、予め定められた所定の値であっても、監視期間と監視期間との間における無監視期間に検出した温度や無監視期間等に基づいて算出された値であってもよい。
【００７６】
図８に示すように、ケースＡにおいては、補正受信期間における下り方向信号の受信を開始するために通信部１１をオンにする処理を開始する補正タイミング（タイマのカウント値によって予測される補正タイミング）は、実際の時間（Ｔ４）と合致している。従って、タイマの誤差を補正することなく、Ｔ３において監視期間で下り方向信号を受信することができる。
【００７７】
これに対して、ケースＢにおいては、補正タイミングが実際の時間（Ｔ４）よりも早い。従って、補正受信期間で受信する下り方向信号に含まれる情報（例えば、システムフレーム番号、サブフレーム番号又は絶対時間）に基づいてタイマを補正する。また、タイマを補正する代わりに、下り方向信号の監視を開始するタイミングを補正してもよい。これによって、Ｔ３において監視期間で下り方向信号を受信することができる。また、ケースＢのように、補正タイミングとＴ３との間の期間が所定値以上の場合には、Ｔ３より前にもう一度補正タイミングを設けてもよい。つまり、補正受信期間により受信したサブフレーム番号若しくはシステムフレーム番号がＴ３において受信すべきサブフレーム番号若しくはシステムフレーム番号との差に応じて新たに補正受信期間を設けるようにしてもよい。
【００７８】
また、ケースＣにおいては、補正タイミングが実際の時間（Ｔ４）よりも遅い。従って、補正受信期間で受信する下り方向信号に含まれる情報（例えば、システムフレーム番号、サブフレーム番号又は絶対時間）に基づいてタイマの誤差を補正する。これによって、Ｔ３において監視期間で下り方向信号を受信することができる。
【００７９】
（移動通信方法）
以下において、第１実施形態に係る移動通信方法について説明する。図９は、第１実施形態に係る移動通信方法を示すフロー図である。
【００８０】
図９に示すように、ステップＳ１０において、ＵＥ１０は、ＤＲＸ周期として所定周期よりも長いロングＤＲＸ周期を設定する。
【００８１】
ステップＳ２０において、ＵＥ１０は、タイマの誤差を補正するために、下り方向信号を受信する補正受信期間を設定する。
【００８２】
ステップＳ３０において、ＵＥ１０は、補正受信期間で受信する下り方向信号に含まれる情報（例えば、システムフレーム番号、サブフレーム番号又は絶対時間）に基づいて、タイマの誤差を補正する。また、タイマの誤差を補正する代わりに、監視期間の開始タイミングを補正するようにしてもよい。
【００８３】
ここで、補正受信期間の設定方法及びタイマの誤差の補正方法は、上述した通りであるため、その詳細については省略する。
【００８４】
（作用及び効果）
第１実施形態では、ＵＥ１０は、ロングＤＲＸ周期が設定される場合に、補正受信期間を設定することによって、タイマの誤差を適切に補正することができる。従って、ロングＤＲＸ周期を導入した場合であっても、適切なタイミングで通信部１１（無線機能）を起動することができる。
【００８５】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【符号の説明】
【００８６】
１０…ＵＥ、１１…通信部、１２…制御部、１３…記憶部、５０…コアネットワーク、１００…移動通信システム、１１０…ｅＮＢ、１１１…セル、１１５…通信部、１１６…制御部、１２０…ＭＭＥ、２１０…ＮＢ、２１１…セル、２２０…ＲＮＣ、２３０…ＳＧＳＮ
【図１】
2015122672.tif 000003
【図２】
2015122672.tif 000004
【図３】
2015122672.tif 000005
【図４】
2015122672.tif 000006
【図５】
2015122672.tif 000007
【図６】
2015122672.tif 000008
【図７】
2015122672.tif 000009
【図８】
2015122672.tif 000010
【図９】
2015122672.tif 000011